(57)【要約】【課題】従来の楽器と異なり、演奏ができるようになる為に訓練と熟練が不要な電子楽器は、従来楽器のように指先の微妙な操作によって音階制御を行うような操作体験を得ることができず、発音の分解能もさほど細かくないので実際の楽器の音に比べると再現性が乏しい。【解決手段】対象物との距離を測定した値を用いて音階を生成する変換器を備えることで、測定距離（以下「測距」という）による音階または音階データを出力することができる電子測距儀を利用した電子楽器を提供する。【選択図】図１
2006145583.tif 000002
【特許請求の範囲】
【請求項１】
対象物までの距離を測定する測距手段と、
上記測距手段の出力に応じた音階を発する変換器とを有することを特徴とする音源装置。
【請求項２】
対象物までの距離を測定する測距手段と、
前記測距手段が測定した値を音階データに変換する変換器と、
前記音階データにより音階を発する出力手段とを有することを特徴とする音源装置。
【請求項３】
対象物までの距離を測定する測距手段と、
前記測距手段が測定した距離によって音階データを生成する音階生成手段と、
上記音階データを、可聴音に変換する変換手段とを有することを特徴とする音源装置。
【請求項４】
対象物までの距離を測定する測距手段と、前記測距手段が測定した距離に基づいて音階データを生成する音階生成手段と、
上記音階データを、可聴音に変換する変換手段と、
上記可聴音を出力する出力手段とを有することを特徴とする音源装置。
【請求項５】
対象物までの距離を測定する第１の測距手段および第２の測距手段と、
上記第１の測距手段が測定した距離値によって音階データを生成する音階生成手段と、
上記音階生成手段の出力を可聴音に変換する変換手段と、
上記可聴音を出力する出力手段とを有する音源装置であって、
上記第２の測距手段が測定した距離が所定の範囲内であることをトリガーとして上記可聴音を発することを特徴とする音源装置。
【請求項６】
対象物までの距離を測定する第１の測距手段および第２の測距手段と、
上記第１の測距手段が測定した値によって音階データを生成する音階生成手段と、
上記音階データを記憶する記憶手段と、
上記記憶手段から、音階データを抽出して可聴音に変換する変換手段とを有する音源装置であって、
上記第２の測距手段が所定の範囲値を出力することをトリガーとして、上記記憶手段から音階データを抽出し、上記変換手段により上記可聴音を発することを特徴とする音源装置。
【請求項７】
前記測距手段は測定した値をデジタル形式で出力する電子式測距手段で有ることを特徴とする、請求項１乃至６のいずれかに記載の音源装置。
【請求項８】
前記測距手段は複数個を具備していることを特徴とする請求項１乃至７のいずれかに記載の音源装置。
【請求項９】
前記測距手段は複数個を具備しており、各測距手段が測定した値の組み合わせによって前記音階データを生成する特徴とする、請求項３乃至８のいずれかに記載の音源装置。
【請求項１０】
上記測距手段はレーザーやＬＥＤなどを光源から出射する光波を用いて測距するものであることを特徴とする請求項１乃至９のいずれかに記載の音源装置。
【請求項１１】
前記測距手段は発音素子による超音波を用いて測距するものであることを特徴とする請求項１乃至９のいずれかに記載の音源装置。
【請求項１２】
請求項１乃至１１のいずれかに記載の音源装置を有し、演奏者の操作によって対象物までの距離を変化させることにより所望する音程を発することができることを特徴とする電子楽器。
【請求項１３】
対象物までの距離を測定する測距手段と、
アナログデータをデジタルデータに変換するＡ−Ｄコンバータと、
所定の入力値に対応する音階データを生成する音階データ生成手段と、
音階データを可聴音に変換する変換手段とを有して成る音階装置を用いる音源生成方法であって、
上記測距手段が測定した値をＡ−Ｄコンバータにおいてデジタルデータへ変換するステップと、
上記デジタルデータを音階データ生成手段に入力するステップと、
上記音階データ生成手段から音階データを出力するステップと、
上記音階データを変換手段に入力して、可聴音を出力するステップとを有することを特徴とする音階生成方法。
【発明の詳細な説明】
【技術分野】
【０００１】
本発明は、測距儀を用いたことを特徴とする音源装置、音階生成方法および音源装置を利用した電子楽器に関する。
【背景技術】
【０００２】
従来からの楽器（以下「従来楽器」という）、特に弦楽器は、発音媒体を指などで操作して音階を決定し、発音動作によって発音する。例えばギターは発音媒体である弦を指で押さえて音階を決定し、指またはピックで弦を弾くことによって、所定の音階を発することができる。
【０００３】
つまり従来楽器を演奏する為には、指などの発音媒体を的確に操作できることが重要である。従って、的確な操作を習得するために指を動かす訓練から始まり、正しい位置、正しい強さで発音媒体を操作する訓練が必要である。
【０００４】
このように従来楽器を演奏できるようになる為には熟練を要するという難点があった。そこで、簡単に楽しく演奏を行うための訓練を行わずとも、演奏者が容易に所望する音階を発する（演奏する）ことが可能となるように、演奏者が発音媒体に触れることなく、手を空中で移動させるだけで様々な音を発することができる楽器が提案されている（特許文献１参照）。
【０００５】
特許文献１記載の発明によれば、対象物との距離を測定する距離センサと、音源手段と、測距センサが測定した対象物との距離に応じて音源手段を制御する制御回路とを具備する電子楽器において、対象物との距離により音源手段を制御することによって様々な音を発することが可能となる。例えば対象物が指であり、距離センサが鍵盤の形状をしたものを用いれば、演奏者は鍵盤に触れることなく、鍵盤上に手をかざし、空中移動させるだけで様々な音を発することが可能となる。
【０００６】
【特許文献１】特開２００１−１１７５６１号公報
【０００７】
しかしながら、上記発明を用いて容易に音を発することが可能であっても、よりリアルな演奏の疑似体験をすることはできない。すなわち、上記発明によれば模擬できる楽器タイプは発音媒体をたたく形式（打楽器など）に限られる。また、音源手段からの発音制御はＯＮ−ＯＦＦのみであって、従来楽器のように指先の微妙な操作によって音階制御を行うような操作体験を得ることはできない。また、発音の分解能もさほど細かくするいことはできず、実際の楽器の音に比べると再現性が乏しい。
【発明の開示】
【発明が解決しようとする課題】
【０００８】
本発明は、上記課題を鑑みてなされたもので、対象物との距離を測定した値を用いて音階を生成する変換器を備えることで、測定距離（以下「測距」という）による音階または音階データを出力することができる電子測距儀を利用した電子楽器を提供することを目的とする。
【課題を解決するための手段】
【０００９】
請求項１記載の発明は、音源装置であって、対象物までの距離を測定する測距手段と、上記測距手段の出力に応じた音階を発する変換器とを有することを特徴とする。
【００１０】
請求項２記載の発明は、音源装置であって、対象物までの距離を測定する測距手段と、前記測距手段が測定した値を音階データに変換する変換器と、前記音階データにより音階を発する出力手段とを有することを特徴とする。
【００１１】
請求項３記載の発明は音源装置であって、、対象物までの距離を測定する測距手段と、前記測距手段が測定した距離によって音階データを生成する音階生成手段と、上記音階データを、可聴音に変換する変換手段とを有することを特徴とする。
【００１２】
請求項４記載の発明は、音源装置であって、対象物までの距離を測定する測距手段と、前記測距手段が測定した距離に基づいて音階データを生成する音階生成手段と、上記音階データを、可聴音に変換する変換手段と、上記可聴音を出力する出力手段とを有することを特徴とする。
【００１３】
請求項５記載の発明は、対象物までの距離を測定する第１の測距手段および第２の測距手段と、上記第１の測距手段が測定した距離値によって音階データを生成する音階生成手段と、上記音階生成手段の出力を可聴音に変換する変換手段と、上記可聴音を出力する出力手段とを有する音源装置であって、上記第２の測距手段が測定した距離が所定の範囲内であることをトリガーとして上記可聴音を発することを特徴とする。
【００１４】
請求項６記載の発明は、対象物までの距離を測定する第１の測距手段および第２の測距手段と、上記第１の測距手段が測定した値によって音階データを生成する音階生成手段と、上記音階データを記憶する記憶手段と、上記記憶手段から、音階データを抽出して可聴音に変換する変換手段とを有する音源装置であって、上記第２の測距手段が所定の範囲値を出力することをトリガーとして、上記記憶手段から音階データを抽出し、上記変換手段により上記可聴音を発することを特徴とする。
【００１５】
請求項７記載の発明は、請求項１乃至６のいずれかに記載の音源装置であって、前記測距手段は測定した値をデジタル形式で出力する電子式測距手段で有ることを特徴とする。
【００１６】
請求項８記載の発明は、請求項１乃至７のいずれかに記載の音源装置であって、前記測距手段は複数個を具備していることを特徴とする。
【００１７】
請求項９記載の発明は、請求項３乃至８のいずれかに記載の音源装置であって、前記測距手段は複数個を具備しており、各測距手段が測定した値の組み合わせによって前記音階データを生成する特徴とする。
【００１８】
請求項１０記載の発明は、請求項１乃至９のいずれかに記載の音源装置であって、上記測距手段はレーザーやＬＥＤなどを光源から出射する光波を用いて測距するものであることを特徴とする。
【００１９】
請求項１１記載の発明は、請求項１乃至９のいずれかに記載の音源装置であって、前記測距手段は発音素子による超音波を用いて測距するものであることを特徴とする。
【００２０】
請求項１２記載の発明は、電子楽器であって、請求項１乃至１１のいずれかに記載の音源装置を有し、演奏者の操作によって対象物までの距離を変化させることにより所望する音程を発することができることを特徴とする。
【００２１】
請求項１３記載の発明は、対象物までの距離を測定する測距手段と、アナログデータをデジタルデータに変換するＡ−Ｄコンバータと、所定の入力値に対応する音階データを生成する音階データ生成手段と、音階データを可聴音に変換する変換手段とを有して成る音源装置を用いる音源生成方法であって、上記測距手段が測定した値をＡ−Ｄコンバータにおいてデジタルデータへ変換するステップと、上記デジタルデータを音階データ生成手段に入力するステップと、上記音階データ生成手段から音階データを出力するステップと、上記音階データを変換手段に入力して、可聴音を出力するステップとを有することを特徴とする。
【発明の効果】
【００２２】
本発明によれば、発音媒体の操作を的確にするための訓練を要することなく、容易に演奏の疑似体験をすることができる。
【００２３】
また、本発明によれば、演奏前に発音媒体の調整（チューニング）が不要となり、これによって容易に演奏を始めることができる。
【００２４】
さらに、本発明によれば、楽器をパーツに分解して持ち運びに適した小型ケースに収めることができ、持ち運び後組立ててすぐに演奏を開始可能となる電子楽器を得ることができる。
【発明を実施するための最良の形態】
【００２５】
本発明に係る電子楽器は、従来楽器の様々な形態を模倣して、適用することが可能である。ここでは従来楽器として「ギター」への応用例を用いて本発明の実施の形態を説明する。
【００２６】
従来のギターにも様々な種類が存在するが、基本的には弦を指などで所定の音階の相当する距離で押えて、その後に弦を爪などで弾くことで発音する、という演奏方法は共通している。本発明にかかる電子楽器は、従来楽器において行っている「弦を指などで所定の音階に相当した距離で押える」操作を、電子式測距儀に対し指などを翳す（かざす）ことで行う。また「爪で弾く」操作は所謂打弦操作に他ならないが、これに相当する操作は、例えば「爪」に相当する指を測距儀に対し「打弦距離」と定められた一定距離に置き、当該距離を測距させこれを打弦と見なして発音する。
【００２７】
先ず、従来楽器の例としてギターの構造の例を、図４を用いて説明する。
【００２８】
図４においてギター６は、ネック部４，ボディ部２、弦３、ブリッジ１、ヘッド５を有してなる。
【００２９】
ギター６はブリッジ１の端部に弦３を固定し、弦３のもう片方の端部をヘッド５に設けられている固定手段により固定する。固定する際の弦３の張り強度によって、演奏時の発音する音色が決定する。上記ネック部４上に張られた弦３を所定の長さ位置において一方の手の指で押え、この弦を弾くことによって音階を発する。
【００３０】
このように従来のギターは、発音媒体である弦の振動可能な長さを調整して音程を調律し、発音操作を行う（弦を弾く）ことで演奏するものである。
【実施例１】
【００３１】
本発明に係る電子楽器の実施の形態としてギター形状のものを例にして説明する。図１は、本発明に係る電子ギターの構造を示す図である。図1（ａ）は電子ギターの正面図であり、図１（ｂ）は電子ギターの側面図である。
【００３２】
図１において、電子ギター６０は測距儀部１０、ボディ部２０、制御部３０，ネック部４０、ヘッド部５０、スピーカ部７０、ボディ部２０とネック部４０の機械的結合部８０、外部出力ジャック９０、電子ギターを駆動する為の電源投入、電子ギターの動作モードの切替、スピーカの出力切り換えを行うスイッチ群１００を有してなる。測距儀部１０には、対象物との距離を測定する距離計を具備しており、ネック部４０の所定位置に上記対象物となる指を配し、測距儀１０から上記指までの距離を測定することができる。制御部３０は上記測定された距離を用いて出力する音階を決定することができる。また、スピーカ部７０の上部（図１（ｂ）においてスピーカ７０の左側）領域を特別に「打弦領域」とし、この領域で測距した場合は「打弦」として発音や演奏データ取込みのタイミングとする。
【００３３】
測距儀部１０は、例えば６個の測距儀を図１（ａ）における水平方向に並列的に配置ししている。上記測距儀はそれぞれ、測距に用いる光波をヘッド部５０方向に出射し、仮想的な弦に対応するごとくネック部４０上に配されていて、仮想的な弦の上に指を置くことにより、上記光波が指に反射して測距儀から指までの距離を測定するようになっている。そして「打弦」されスピーカがオンであれば、この測距されたデータに応じた音程の音がスピーカ部７０から発せられるようになっている。
【００３４】
このように上記実施例にかかる電子ギターには、従来ギターが必ず有している「弦」がない。弦の代わりに測距儀を用いており、当該測距儀が常に測距状態を保っている。このように測距儀を用いた電子ギターにおける演奏方法は、従来のギターと全く同じである。以下、演奏方法を説明する。ここでは所謂「右利き」の人間が演奏することを想定し説明するが、所謂「左利き」の場合は右手、左手が逆となる場合もある。
【００３５】
電子ギターにおいて、音階を決める為にネック部４０の所定の位置に左手の指を置く。測距儀部１０に配した測距手段は上記指との距離を測距する。この操作は従来ギターにおける「弦を所定の長さ位置にて押える行為」に相当する。測距儀部１０は指までの距離を測距し、制御部３０においてこれを距離データとして制御部３０の図示しない記憶手段に記憶する。
【００３６】
上記のように所定の位置に指がおかれない場合は、測距不能状態として測距手段は、ヘッド部５０までの距離に相当する距離データを検出する。この場合は、いわゆる「開放弦」として測距儀はあらかじめ記憶している固定データを出力する。
【００３７】
ここで、右手の指が打弦領域を横切った場合、測距儀部１０は打弦領域までの距離を測距することとなる。打弦領域に相当する距離データを測距儀部１０が検出すると「打弦」と判断されて、上記記憶した距離データを元にして制御部３０内の図示しない演算部により楽音データが生成される。楽音データが連続的に生成されたものが音楽データであり、制御部３０内の記憶手段に音楽データファイルとして記憶、蓄積され、スピーカがオンであれば同時にスピーカから音楽として出力される。
【００３８】
図２に本発明に係る電子楽器の制御部３０の回路ブロック図を示す。測距儀１から測距儀ｎを有する測距儀部１０からの複数の出力値（距離データ）は、ＡＤＣ部２１によってデジタル距離データに変換される。デジタル距離データはＣＰＵ部２２に入力され、メモリー部２３に記憶される。測距儀部１０の出力値が「打弦領域距離」を示すものであり、この「打弦領域」に対応する出力値がＣＰＵ部２２に入力されれば、同部はこれを「打弦」と判断して、メモリー部２３に記憶したデジタル距離データを呼び出してこれを演算処理し、電子楽器としての楽音データを生成する。
【００３９】
上記メモリー部２３から取り出した楽音データを、ＣＰＵ部２１は音源回路部２４を用いてアナログオーディオ信号に変換しジャック端子２６に出力する。同時に音源回路部２４に含まれるパワーアンプ２５によってインピーダンス変換しスピーカ端子２７へ出力する。ジャック端子２６は例えば外部のギターアンプ等に接続するためのものである。
【００４０】
また、ＣＰＵ部２２は、メモリー部２３から取り出した楽音データを世界標準とされるＭＩＤＩ規格に則った音源データとして出力することも可能である。
【００４１】
従来のギターの場合、図４のネック部４に示すようにフレットと称する目印があるが、本発明に係る電子ギターの場合にも、上記フレットに該当する目印を配置することもできる。電子ギターにフレットを配置した場合、フレットを「音階領域」として定義しておく。例えば測距値が３３ｃｍから３５ｃｍとなる位置にフレットを配置すれば、当該フレットの位置に指を置くことで音階「ド」を出力することができる。この処理はソフトウェアによって行う。
【００４２】
本発明に係る電子楽器のソフトウェア処理に関するフローチャートを図３を用いて説明する。動作ステップをＳ１，Ｓ２、・・・のように表す。
【００４３】
スイッチ群１００の電源スイッチをＯＮにして、本電子楽器を稼働可能状態にする（Ｓ１）。図示しないモードスイッチが自動演奏モードであれば、メモリー部１３に記憶している楽音データを再生し（Ｓ３）、演奏モードであれば測距儀部を駆動する（Ｓ４）。
【００４４】
測距儀部が測距した対象物との距離が、打弦領域に該当しない場合、打弦距離に該当する距離を検出するまで測距処理をループする（Ｓ４）。打弦距離に該当する処理を検出すれば、音階出力処理に進む（Ｓ５）。
【００４５】
Ｓ４で測距した距離情報を演算処理しＭＩＤＩデータを生成する（Ｓ６）。このＭＩＤＩデータをオーディオ信号に変換し（Ｓ７）、変換したオーディオ信号をパワーアンプでスピーカ駆動（Ｓ８ａ）することで楽音として出力できる。
【００４６】
ここで上記Ｓ６の動作を図５のフローチャートを用いて説明する。測距儀部１０を構成する測距儀１〜Ｎそれぞれが距離を測定する（Ｓ６０１）。測定した結果のデータ（距離データ）はアナログ数値データであるので、このアナログ数値データをＡＤＣ２１に入力しデジタルデータに変換して出力する（Ｓ６０２）。ＡＤＣ２１が出力したデジタル距離データをＣＰＵ２２に入力する（Ｓ６０３）。ＣＰＵ２２はソフトウェアによる音階データ生成処理を行う為に、入力された距離データに対応する音階データをメモリー２３から抽出する（Ｓ６０４）。抽出した音階データを元に、ＭＩＤＩデータに変換をする（Ｓ６０５）。変換によって生成されたＭＩＤＩデータを所定の形式で出力する（Ｓ６０６）。
【００４７】
上記の処理はソフトウェアによって行う。このソフトウェアは複数の機能ソフトウェア（モジュール）で構成され、中心となるソフトウェアはＯＳと呼ばれる入出力やデータのメモリー等を管理する「オペレーティングシステム」である。ＯＳの他に「ＭＩＤＩデータ生成エンジン（ＭＤＧＥ）」と呼ばれる距離データ等からＭＩＤＩデータを生成するソフトウェアがあり、ＭＩＤＩデータ生成はこのＭＤＧＥが行う。
【００４８】
距離情報からＭＤＧＥにて生成したＭＩＤＩデータをファイル形式で出力（Ｓ９ａ）すれば、ＭＩＤＩデータが再生できる他の機器においても演奏再生が可能となる。
【００４９】
上記の他に、ＭＩＤＩデータをオーディオ信号に変換した後（Ｓ７）、上記オーディオ信号をＷＡＶ形式のデータに変換し（Ｓ８ｂ）、ファイル形式にて出力することにより（Ｓ９ｂ）演奏したデータをパーソナルコンピュータで再生することも可能となる。
【００５０】
上記において、発音するタイミング（ＭＩＤＩファイルを生成するタイミング）は、測距儀部１０による測定結果をメモリーに蓄積し、その後、打弦領域距離に対応する測定結果が合ったタイミングで発音する場合を説明したが、発音の方法はこれに限るわけではない。
すなわち、測距儀部１０の測定結果を記憶しているメモリー２３は、打弦が生じて音階データを生成すると消去し、次の発音には先ず測距が行われる方法もある。
【００５１】
また、上記メモリー２３の内容は、演奏者が図示しないメモリー消去スイッチを、操作するまでは保持し、その間打弦領域の検出がされるたびに何度でも、音階データを生成するようにしてもよい。
【００５２】
また、音階を決定するための距離測定と打弦検出が１対１の関係となるようにソフトウェアで処理をしてもよい。
以上説明した実施の形態によれば、電子測距儀を利用した電子ギターは、従来のギターと同様の操作感覚で、楽音を出力することができる。
【００５３】
従来ギターにおいて、例えば６弦ギターとよばれる弦が複数本使用されるのが通例である。本発明に係る電子ギターにおいても、測距儀部１０を複数個同時に使用することで、同様の効果を期待できる。
【００５４】
また、例えば一方の手指で仮想的な弦を押えて音階を決定し、他方の手指で複数の弦のうちの一を選択するように構成しておけば、なお一層従来ギターに近い演奏方法ができるようになる。
【実施例２】
【００５５】
次に本発明に係る別の実施形態について図６を用いて説明する。図６はスタンド型の電子楽器の例である。図６において、測距儀部１０を複数個有したスタンド部２０１は土台部２０２によって直立固定している。本実施の形態は図６のように２つの電子楽器を対向して設置する場合を説明する。
【００５６】
測距儀部１０はそれぞれ測距用の光波１０１を出射し、反射物からの反射光を検知して、当該反射物までの距離を測定することができる。この測定した距離データを用いて、音階データを生成する手段については、実施例１と同様である。ここでは、異なる部分を説明する。
【００５７】
図６のように、測距儀部１０は対向しているので、光波１０１上に反射物として、手をかざすと、図６左側の測距儀１０Ｌと、右側の測距儀１０Ｒはそれぞれ、手までの距離を測定する。
【００５８】
このようにして同時に複数の測定結果を用いて、音階データを抽出する場合は、測定結果の組み合わせを抽出条件とすることができる。すなわち、測距儀１０Ｌの測定結果がＸｃｍであり、測距儀１０Ｒの測定結果がＹｃｍであるならば音階データ抽出条件ｐは、ｐ（Ｘ，Ｙ）によって決定するようにソフトウェアで処理を行えばよい。
【００５９】
このような抽出条件にて決定する音階データは、幹音ばかりではなく、派生音（いわゆる＃や♭）を生成することも可能となる。また、ｐ（Ｘ，Ｙ）によって予め規定している和音を生成するようにしてもよい。
【００６０】
複数の測距儀部１０を用いた場合は、ＡＤＣ２１に８ｃｈコンバータを用いれば、８個の測距儀部１０からの出力を受け付け、処理することが可能となる。
【００６１】
本発明に係る電子ギターにおける楽音生成は、ソフトウェアによる処理となる。複数の測距儀部１０による複数の音階データをソフトウェアで処理することによって、従来のギターでは成し得なかったような「効果的な楽音」の生成ができる。しかし、この楽音生成は人間の感性による操作が基本となるので、芸術領域の判断である。
【００６２】
本発明に係る電子ギターに使用される測距儀部１０の測距原理は、レーザーやＬＥＤの光ビームをターゲットに当て、反射光の時間的遅れを計測し、不変定数である光速を用いて、距離を割り出すものである。ここで、光ビームの代わりに測距儀部１０から超音波を発し、ターゲットからの反射音の遅れ時間を計測し、音速を用いて距離を求めてもよい。
【００６３】
また、電子ギターに使用される測距儀は、レーザーやＬＥＤの光ビームをターゲットにあて、反射光の幾何学的な位置ずれを検出する方式、例えばＰＳＤ素子と呼ばれる電子デバイス等を用いて、ターゲットまでの距離を三角測量的に割り出す測距原理を用いても良い。
【産業上の利用可能性】
【００６４】
本発明は、ギターに限らず全ての弦楽器への適用が可能であり、他にも音階の決定に長さ要素を用いる楽器であれば適用することできる。また、本発明を応用すれば例えば図６に示すような、いままでになかった全く新しい概念の楽器も提案できる。
【００６５】
本発明によれば、弦楽器への適用に於いては「弦」が必要ないため、当該楽器に弦を強く張るための機械的強度が必要なくなり、軽量で安価な楽器の供給が可能となる。また、当該楽器は最小単位に分解して収納持ち運びができ、組立調整も簡便に出来るため、従来型の楽器に比べてきわめて取り扱いが容易である。
【図面の簡単な説明】
【００６６】
【図１】本発明にかかる音源装置をギター型電子楽器に応用した実施の形態を示す正面図である。
【図２】本発明にかかる音源装置の制御回路例を示すブロック図である。
【図３】本発明にかかる音源装置を制御するソフトウェアの例を示すフローチャートである。
【図４】従来からのギターの例を示す正面図である。
【図５】本発明にかかる音源装置を制御するするソフトウェアの詳細な処理の例を示すフローチャートである。
【図６】本発明にかかる音源装置の別の実施の形態を示す図である。
【符号の説明】
【００６７】
１０  測距儀部
２０  ボディ部
２１  アナログ−デジタル  コンバータ
２２  ＣＰＵ
２３  メモリー
２４  音源回路
３０  制御部
４０  ネック部
５０  ヘッド部
６０  電子楽器
７０  スピーカ部
８０  機械的結合部
９０  外部出力ジャック
１００  スイッチ群
【図１】
2006145583.tif 000003
【図２】
2006145583.tif 000004
【図３】
2006145583.tif 000005
【図４】
2006145583.tif 000006
【図５】
2006145583.tif 000007
【図６】
2006145583.tif 000008